(57)【要約】【課題】  本発明は、銀行券、株券、債券等の有価証券、各種証明書及び重要書類等の偽造防止又は複製防止が必要とされる偽造防止印刷物に関するものである。【解決手段】  基材上に、第１の方向に盛り上がりのある画線が配列して形成される潜像部と、第２の方向に盛り上がりのある画線が配列して形成され背景部によって潜像画像が形成され、前記潜像部に配列される画線の高さと、前記背景部に配列される画線の高さが異なる印刷物であって、前記印刷物を所定の角度傾けて観察した場合、前記潜像画像が観察されることを特徴とする偽造防止印刷物である。【選択図】図２
2015074155.tif 000002
【特許請求の範囲】
【請求項１】
基材上に、第１の方向に盛り上がりのある画線が配列して形成される潜像部と、第２の方向に盛り上がりのある画線が配列して形成され背景部によって潜像画像が形成され、
前記潜像部に配列される画線の高さと、前記背景部に配列される画線の高さが異なる印刷物であって、
前記印刷物を所定の角度傾けて観察した場合、前記潜像画像が観察されることを特徴とする偽造防止印刷物。
【請求項２】
前記潜像部に配列される画線が同一ピッチ又は略同一ピッチで、かつ、同一画線幅又は略同一画線幅で配置され、前記背景部に配列される画線が前記ピッチと同一ピッチ又は略同一ピッチで、かつ、前記画線幅と同一画線幅又は略同一画線幅で配置されることを特徴とする請求項１記載の偽造防止印刷物。
【請求項３】
前記第１の方向に盛り上がりのある画線の配列方向と、前記第２の方向に盛り上がりのある画線の配列方向が４５〜１３５度の範囲で異なることを特徴とする請求項１又は２記載の偽造防止印刷物。
【請求項４】
前記画線の画線高さが、０．０１〜０．１０ｍｍで設けていることを特徴とする請求項１乃至３のいずれか１項に記載の偽造防止印刷物。
【請求項５】
前記潜像部に配列される画線の高さと、前記背景部に配列される画線の高さの差が０．０１〜０．０９ｍｍであることを特徴とする請求項１乃至４のいずれか１項に記載の偽造防止印刷物。
【請求項６】
前記画線の画線幅が、０．０５〜０．３ｍｍで設けていることを特徴とする請求項１乃至５のいずれか１項に記載の偽造防止印刷物。
【請求項７】
前記画線の画線ピッチが、０．１〜０．６ｍｍで設けていることを特徴とする請求項１乃至６のいずれか１項に記載の偽造防止印刷物。
【発明の詳細な説明】
【技術分野】
【０００１】
本発明は、銀行券、株券、債券等の有価証券、各種証明書及び重要書類等の偽造防止又は複製防止が必要とされる偽造防止印刷物に関するものである。
【背景技術】
【０００２】
銀行券、株券、債券等の有価証券、各種証明書及び重要書類等の貴重印刷物は、その性質上偽造や複製がされにくいことが要求される。また、貴重印刷物は、真正物か偽造物であるかを真偽判別するための技術も併せて要求される。その一つの手段として、古くから貴重印刷物には、何らかの手段で潜像が出現する偽造防止技術が採用されている。
【０００３】
この潜像が出現する偽造防止技術は、凹版インキ等で盛り上がって印刷された画線を用いることで効果を奏するものである。例えば、図１６の偽造防止印刷物１´に示されたように、基材２´上に潜像印刷領域３´に形成される印刷模様は、潜像部４´を成す画線６´、非画線８´と、背景部５´を成す画線７´、非画線９´は、９０度の２方向の差異を持った万線状の画線によって配置している。この偽造防止印刷物１´の印刷面を真正面から見て観察した場合、施されている潜像部４´から成る潜像模様「Ｐ」文字を容易に認識することができないが、図１７に示されたように、図１６に示すＳ１方向（斜め）から観察すると、例えば、凹版インキのような盛り上がった画線では、画線群で隣り合う画線との視角によって重なり合うため、背景部５´の領域は潜像部４´の領域よりも低明度となる。これにより、潜像部４´及び背景部５´から成る潜像模様「Ｐ」文字が顕像となって出現する。この技術の特徴は、別途判別具を用意せずとも簡単に真偽判別することができることである。
【０００４】
例えば、特公昭５６−１９２７３号公報では、印刷物を傾けて観察して画像を現出するような方法として、印刷基材上に縦横の画線で構成される画像を凹版印刷することで印刷面を真上から観察した場合には、確認することができない潜像が角度を変えて観察すると顕像化される方法が開示されている（例えば、特許文献１参照。）
【０００５】
また、特開２００４−９０３８１号公報では、基材上の表面に光学的変化インキにより第１のメッセージ画像を印刷し、第１のメッセージ画像上に盛り上がりのあるインキによる等間隔の線画からなる万線パターンから構成される第２のメッセージ画像を重ねて印刷し、第２のメッセージ画像が、背景部と少なくとも一つの潜像部に区分けされ、背景部と少なくとも一つの潜像部は線画の配列方向が異なった万線パターンからなることを特徴とする真偽判別可能な印刷物が開示されている（例えば、特許文献２参照。）
【先行技術文献】
【特許文献】
【０００６】
【特許文献１】特公昭５６−１９２７３号公報
【特許文献２】特開２００４−９０３８１号公報
【発明の概要】
【発明が解決しようとする課題】
【０００７】
上述した従来の印刷物では、この技術の特徴は別途判別具を用意せずとも簡単に真偽判別を可能とする優れた技術である。しかし、一般的に図１６に示された従来の技術は、潜像部に配列される画線と背景部に配列される画線の画線幅、ピッチ、インキ盛り量（高さ）が同一又は略同一であった。このため、潜像模様を視認する場合に、図１６に示したＳ１乃至Ｓ４方向のいずれかから浅い角度で観察した場合に、図１８（ａ）に示すように潜像部の濃度と背景部の濃度の差に大きな変化が得られず潜像模様が視認し難い問題であり、図１６に示したＳ１乃至Ｓ４方向のいずれかから深い角度で観察した場合に、図１８（ｂ）に示すようにはじめて潜像模様がはっきりと視認できるものであった。さらに、図１６に示したＳ５乃至Ｓ８方向のいずれかから観察した場合に、図１９（ａ）乃至（ｄ）に示すように潜像部と背景部の濃度差が得られないため潜像画像が視認し難い問題があった。
【０００８】
この問題を解決するために、潜像部に配列される画線の画線幅と背景部に配列される画線の画線幅を異ならせたり、潜像部に配列される画線のピッチと背景部に配列される画線のピッチを異ならせることで観察角度を深くしなくても潜像模様を視認させることを可能とした。しかしながら、潜像部と背景部の画線幅やピッチを変更することで、印刷物の印刷面を真正面から見て観察した場合、容易に潜像模様が視認されてしまう問題が発生した。
【０００９】
そこで、本発明は、前述した課題の解決を目的とするものであり、潜像部と背景部が同一画線幅や同一ピッチであっても、潜像模様を視認するために観察方向を特定することなく、観察角度を深くしなくても潜像部の濃度と背景部の濃度の差に大きな変化が生じ潜像模様がはっきりと視認することができる偽造防止印刷物を提案するものである。
【課題を解決するための手段】
【００１０】
本発明の偽造防止印刷物は、基材上に、第１の方向に盛り上がりのある画線が配列して形成される潜像部と、第２の方向に盛り上がりのある画線が配列して形成され背景部によって潜像画像が形成され、潜像部に配列される画線の高さと、背景部に配列される画線の高さが異なる印刷物であって、印刷物を所定の角度傾けて観察した場合、潜像画像が観察されることを特徴とする。
【００１１】
また、本発明の偽造防止印刷物は、潜像部に配列される画線が同一ピッチ又は略同一ピッチで、かつ、同一画線幅又は略同一画線幅で配置され、背景部に配列される画線がピッチと同一ピッチ又は略同一ピッチで、かつ、画線幅と同一画線幅又は略同一画線幅で配置されることを特徴とする。
【００１２】
また、本発明の偽造防止印刷物は、第１の方向に盛り上がりのある画線の配列方向と、第２の方向に盛り上がりのある画線の配列方向が４５〜１３５度の範囲で異なることを特徴とする。
【００１３】
また、本発明の偽造防止印刷物は、画線の画線高さが、０．０１〜０．１０ｍｍで設けていることを特徴とする。
【００１４】
また、本発明の偽造防止印刷物は、潜像部に配列される画線の高さと、背景部に配列される画線の高さの差が０．０１〜０．０９ｍｍであることを特徴とする。
【００１５】
また、本発明の偽造防止印刷物は、画線の画線幅が、０．０５〜０．３ｍｍで設けていることを特徴とする。
【００１６】
また、本発明の偽造防止印刷物は、画線の画線ピッチが、０．１〜０．６ｍｍで設けていることを特徴とする。
【発明の効果】
【００１７】
本発明の偽造防止印刷物は、潜像部に配列される画線の高さと潜像部に配列される画線の高さを異ならせることによって、潜像模様を視認するために観察方向を特定することなく、観察角度が浅い角度であっても潜像部の濃度と背景部の濃度の差に大きな変化が生じ潜像模様がはっきりと視認することができる。
【００１８】
また、本発明の偽造防止印刷物の潜像部と背景部が同一画線幅又は略同一画線幅や同一ピッチ又は略同一ピッチであっても、観察角度が浅い角度であっても潜像部の濃度と背景部の濃度の差に大きな変化が生じ潜像模様がはっきりと視認することができる。
【図面の簡単な説明】
【００１９】
【図１】本発明の偽造防止印刷物の説明図である。
【図２】本発明の偽造防止印刷物の一部断面図である。
【図３】偽造防止印刷物１（形態１）の印刷面を真正面から見て観察した場合の状態である。
【図４】偽造防止印刷物（形態１）をＳ１方向の斜めから観察した場合の状態である。
【図５】背景部５の画線７の観察状態を示す図である。
【図６】偽造防止印刷物（形態１）をＳ３方向の斜めから観察した場合の状態である
【図７】潜像部４の画線６の観察状態を示す図である。
【図８】偽造防止印刷物（形態１）を図３に示したＳ５乃至Ｓ８方向のいずれかの斜めから観察した場合の状態である。
【図９】潜像部４の画線６と背景部５の画線７の観察状態を示す図である。
【図１０】偽造防止印刷物（形態２）を図３に示したＳ５乃至Ｓ８方向のいずれかの斜めから観察した場合の状態である。
【図１１】潜像部４の画線６と背景部５の画線７の観察状態を示す図である。
【図１２】画像１０を示す図である。
【図１３】実施例１の偽造防止印刷物１ａを示す図である。
【図１４】実施例１の偽造防止印刷物１ａの作用を示す図である。
【図１５】実施例１の偽造防止印刷物１ａの作用を図である。
【図１６】従来の偽造防止印刷物１´を示す図である。
【図１７】従来の偽造防止印刷物１´の作用を示す図である。
【図１８】従来の偽造防止印刷物１´の問題点を示す図である。
【図１９】従来の偽造防止印刷物１´の問題点を示す図である。
【発明を実施するための形態】
【００２０】
以下、本発明の偽造防止印刷物について、本発明を実施するための形態として、図面を用いて説明する。しかしながら、本発明は以下に述べる実施するための形態に限定されるものではなく、特許請求の範囲に記載されている技術の範疇であれば、その他いろいろな実施の形態が含まれる。
【００２１】
（偽造防止印刷物の形態１）
図１は本発明の偽造防止印刷物１の説明図である。図１に示すように本発明の偽造防止印刷物１は、基材２上に潜像印刷領域３を有する。潜像印刷領域３は潜像部４及び背景部５に区分けされる。潜像部４は第１の方向であるX方向に画線６及び非画線部８が交互に複数配列され万線画線として形成され、背景部５は第２の方向であるＹ方向に画線７及び非画線部９が交互に複数配列され万線画線として形成される。
【００２２】
図２は、図１の点線箇所の一部拡大図であるＸ−Ｘ´断面図である。図２（ａ）に示すように潜像部４を形成する複数の画線６の高さであるインキ盛り量ｈは、盛り量ｈ１であり、背景部５を形成する複数の画線７の高さであるインキ盛り量ｈは、盛り量ｈ２である。このとき、潜像部４を形成する複数の画線６の盛り量ｈ１と背景部５を形成する複数の画線７の盛り量ｈ２の関係は、ｈ１＜ｈ２の関係である。また、潜像部４を形成する複数の画線６の盛り量ｈ１と背景部５を形成する複数の画線７の盛り量ｈ２の差は、盛り量ｈ３を有する。図２（ａ）に示した偽造防止印刷物１は、形態１として説明する。
【００２３】
図２（ｂ）は図２（ａ）に示した形態と異なる形態であり、潜像部４を形成する複数の画線６の高さであるインキ盛り量ｈは、盛り量ｈ４であり、背景部５を形成する複数の画線７の高さであるインキ盛り量ｈは、盛り量ｈ５である。このとき、潜像部４を形成する複数の画線６の盛り量ｈ４と背景部５を形成する複数の画線７の盛り量ｈ５の関係は、ｈ４＞ｈ５の関係である。また、潜像部４を形成する複数の画線６の盛り量ｈ４と背景部５を形成する複数の画線７の盛り量ｈ５の差は、盛り量ｈ６を有する。図２（ｂ）に示した偽造防止印刷物１は、形態２として説明する。
【００２４】
（形態１の作用）
図３は偽造防止印刷物１（形態１）の印刷面を真正面から見て観察した場合の状態である。偽造防止印刷物１（形態１）の印刷面を真正面から見て観察した場合は、潜像部４の明度と背景部５の明度の差に大きな変化が得られず潜像模様が視認し難い状態である。特に、潜像部に配列される画線と背景部に配列される画線の画線幅、ピッチを同一又は略同一にすることによって単位面積当たりの画線面積率が同一となるため、より潜像模様が視認し難い状態となる。
【００２５】
図４は偽造防止印刷物（形態１）を図３に示したＳ１方向の斜めから観察した場合の状態である。背景部５の明度は、低い状態でされるが、潜像部４は、背景部５よりも高い明度で視認されるため、潜像部４と背景部５の明度差によって潜像模様が視認される。この原理について説明する。潜像部４の画線６は、観察角度及び画線６のインキ盛り量に起因して隣り合う画線６同士が重なり合って視認されることがないため、画線６の非画線部がそのままの状態で視認されるため、潜像部４の領域は真正面から観察した場合と略同一の明度で視認される。これに対して、図５に示すように背景部５の画線７は、観察角度及び画線７のインキ盛り量に起因して隣り合う画線７同士が重なり合って視認されるため、図５（ａ）に示すように非画線部９が画線隠蔽領域１０によって消失された状態となるか、図５（ｂ）に示すように非画線部９が画線隠蔽領域１０によって一部消失された状態で視認されため、背景部５の領域は真正面から観察した場合よりも低明度で視認される。よって、潜像部４と背景部５に明度差が生じて潜像模様が視認される。なお、偽造防止印刷物（形態１）は、図３に示したＳ２方向の斜めから観察した場合についても同様の効果が得られる。Ｓ１方向又はＳ２方向の斜めから観察した場合、偽造防止印刷物（形態１）の潜像模様はネガ状態で視認される。
【００２６】
図６は偽造防止印刷物（形態１）を図３に示したＳ３方向の斜めから観察した場合の状態である。潜像部４の明度は、低い状態でされるが、背景部５は、潜像部４よりも高い明度で視認されるため、潜像部４と背景部５の明度差によって潜像模様が視認される。この原理について説明する。背景部５の画線７は、観察角度及び画線７のインキ盛り量に起因して隣り合う画線７同士が重なり合って視認されることがないため、画線７の非画線部がそのままの状態で視認されるため、背景部５の領域は真正面から観察した場合と略同一の明度で視認される。これに対して、図７に示すように潜像部４の画線６は、観察角度及び画線６のインキ盛り量に起因して隣り合う画線６同士が重なり合って視認されるため、図７（ａ）に示すように非画線部８が画線隠蔽領域１０によって消失された状態となるか、図７（ｂ）に示すように非画線部８が画線隠蔽領域１０によって一部消失された状態で視認されため、潜像部４の領域は真正面から観察した場合よりも低明度で視認される。よって、潜像部４と背景部５に明度差が生じて潜像模様が視認される。なお、偽造防止印刷物（形態１）は、図３に示したＳ４方向の斜めから観察した場合についても同様の効果が得られる。Ｓ３方向又はＳ４方向の斜めから観察した場合、偽造防止印刷物（形態１）の潜像模様はポジ状態で視認される。
【００２７】
図８は偽造防止印刷物（形態１）を図３に示したＳ５乃至Ｓ８方向のいずれかの斜めから観察した場合の状態である。図８（ａ）はＳ５方向の斜めから観察した場合の状態であり、図８（ｂ）はＳ６方向の斜めから観察した場合の状態であり、図８（ｃ）はＳ７方向の斜めから観察した場合の状態であり、図８（ｄ）はＳ８方向の斜めから観察した場合の状態である。背景部５の明度は、低い状態でされるが、潜像部４は、背景部５よりも高い明度で視認されるため、潜像部４と背景部５の明度差によって潜像模様が視認される。この原理について説明する。図９（ａ）に示すように所定角度θ１で観察した場合に、背景部５の画線７は観察角度及び画線７のインキ盛り量に起因して隣り合う画線７同士が重なり合って視認されるため、非画線部９が画線隠蔽領域１０によって消失された状態となるため、背景部５の領域は真正面から観察した場合よりも低明度で視認される。これに対して、図９（ｂ）に示すように所定角度θ１で観察した場合に、潜像部４の画線６は、観察角度及び画線６のインキ盛り量に起因して隣り合う画線６同士が重なり合って視認されるが、非画線部８が画線隠蔽領域１０によって一部のみが消失された状態で視認されため、潜像部４の領域は真正面から観察した場合よりも低明度で視認されるが、背景部５よりも高明度で視認される。よって、潜像部４と背景部５に明度差が生じて潜像模様が視認される。Ｓ５乃至Ｓ８方向のいずれかの斜めから観察した場合、偽造防止印刷物（形態１）の潜像模様はネガ状態で視認される。
【００２８】
（形態２の作用）
偽造防止印刷物１（形態２）の作用について説明する。偽造防止印刷物１（形態２）を真正面から見て観察した場合、形態１と同様の作用であるため省略する。また、偽造防止印刷物１（形態２）を図３に示したＳ１乃至Ｓ４方向のいずれかの斜めから観察した場合についても、形態１と同様の作用であるため省略する。図１０は偽造防止印刷物（形態２）を図３に示したＳ５乃至Ｓ８方向のいずれかの斜めから観察した場合の状態である。図１０（ａ）はＳ５方向の斜めから観察した場合の状態であり、図１０（ｂ）はＳ６方向の斜めから観察した場合の状態であり、図１０（ｃ）はＳ７方向の斜めから観察した場合の状態であり、図１０（ｄ）はＳ８方向の斜めから観察した場合の状態である。潜像部４の明度は、低い状態でされるが、背景部５は、潜像部４よりも高い明度で視認されるため、潜像部４と背景部５の明度差によって潜像模様が視認される。この原理について説明する。図１１（ａ）に示すように所定角度θ１で観察した場合に、潜像部４の画線６は観察角度及び画線６のインキ盛り量に起因して隣り合う画線７同士が重なり合って視認されるため、非画線部８が画線隠蔽領域１０によって消失された状態となるため、潜像部４の領域は真正面から観察した場合よりも低明度で視認される。これに対して、図１１（ｂ）に示すように所定角度θ１で観察した場合に、背景部５の画線７は、観察角度及び画線７のインキ盛り量に起因して隣り合う画線７同士が重なり合って視認されるが、非画線部９が画線隠蔽領域１０によって一部のみが消失された状態で視認されため、背景部５の領域は真正面から観察した場合よりも低明度で視認されるが、潜像部４よりも高明度で視認される。よって、潜像部４と背景部５に明度差が生じて潜像模様が視認される。Ｓ５乃至Ｓ８方向のいずれかの斜めから観察した場合、偽造防止印刷物（形態１）の潜像模様はポジ状態で視認される。
【００２９】
（基材の説明）
本発明における基材２は、上質紙、コート紙、アート紙等の紙葉類、フィルム、プラスチック等を用いることができ、潜像印刷領域３に形成される画線が形成可能であれば、特に限定されるものではない。ただし、基材と画線に明度差を有する必要があるため、基材が白色系の高い明度である場合、画線は黒色等の低明度であることが好ましい。もしくは、基材が黒色系の低い明度である場合、画線は白色等の高明度であることが好ましい。これは、潜像模様を視認するために基材と画線の明度差を利用しているためである。つまり、基材２の明度と画線の明度は、明度差が高ければ高いほど本発明の効果を奏することができる。
【００３０】
（潜像印刷領域、潜像部及び潜像部の説明）
明細書中に記載される潜像印刷領域３とは、潜像部４の画線６と背景部５の画線７が形成される領域のことであり、実際に領域の輪郭に印刷画線等が形成されるものではない。ただし、潜像印刷領域３の輪郭に画線を形成することもできる。同様に、潜像部４とは画線６が形成される領域のことであり、背景部５とは画線７が形成される領域のことであり、実際に領域の輪郭に印刷画線等が形成されるものではない。ただし、潜像部４及び／又は背景部５の輪郭に画線を形成することもできる。
【００３１】
（画線、非画線の説明）
潜像部４を形成する画線６及び背景部５を形成する画線７は、盛り上がりのある画線で形成する必要がある。印刷方式については、盛り上がりのある画線が形成できれば特に限定されることはないが、凹版印刷、スクリーン印刷又は発泡印刷等が好ましい。インキの種類は特に限定されることはないが、基材と明度差を有していることが好ましい。また、磁気特性や光学特性を備える顔料をインキに配合することで読み取り装置による真偽判別効果も併せて備えることができる。
【００３２】
潜像部４を形成する画線６及び背景部５を形成する画線７の高さは、０．０１〜０．１０ｍｍの範囲が好ましい。潜像部４を形成する画線６、背景部５を形成する画線７の高さが、０．０１ｍｍ未満であると、偽造防止印刷物１を斜めから観察した場合に観察角度及び画線のインキ盛り量に起因して非画線部が画線隠蔽領域１０によって消失される面積が極めて少なくなり、潜像模様が視認し難い問題が生じる。潜像部４を形成する画線６、背景部５を形成する画線７の高さが、０．１０ｍｍよりも高いと作成上困難性を有する。したがって、画線の高さは、０．０１ｍｍ以上、好ましくは、０．０２〜０．１０ｍｍが好ましい。
【００３３】
潜像部に配列される画線の高さと、背景部に配列される画線の高さの差が０．０１〜０．０９ｍｍであることが好ましい。潜像部に配列される画線の高さと、背景部に配列される画線の高さの差が０．０１よりも小さい場合、前述したＳ５乃至Ｓ８方向のいずれかの斜めから観察した場合に、背景部と潜像部の画線の高さに起因する明度差が得られないため、潜像模様が視認し難い状態となる。また、潜像部に配列される画線の高さと、背景部に配列される画線の高さの差が０．０９よりも大きい場合、前述した好ましい画線の高さの範囲を超えてしまう問題が生じる。さらに、潜像部に配列される画線の高さと、背景部に配列される画線の高さの差が０．０２〜０．０９ｍｍであることが好ましい。
【００３４】
また、潜像部４を形成する画線６及び背景部５を形成する画線７は、規則的に配置する。画線６及び画線７の画線幅は、０．０５〜０．３ｍｍとすることができ、好ましくは、０．１〜０．２ｍｍが望ましい。さらに、画線６及び画線７の画線ピッチは、０．１〜０．６ｍｍとすることができ、好ましくは、０．２〜０．３ｍｍが望ましい。ただし、非画線の画線幅が０．０２ｍｍ未満では、印刷時に画線詰りや拭き残り等が発生しやすいため、非画線の画線幅は、０．０２ｍｍ以上とすることが望ましい。
【００３５】
また、潜像部４を形成する画線６及び背景部５を形成する画線７の画線幅と非画線幅の比率は、画線幅：非画線幅＝１：１〜３：１が望ましい。理由は、前述の比率よりも画線幅の比率が高いと、潜像模様が暗くなり、デザインの制約を受ける。一方、前述の比率よりも画線幅の比率が低いと、所定の観察角度から視認した場合、非画線を画線で隠蔽することができない。ただし、潜像部４及び背景部５の一部にカムフラージュ図柄として画線の太細で形成する場合は、この限りではない。さらに、潜像部４に配列される画線６が同一ピッチ又は略同一ピッチで、かつ、同一画線幅又は略同一画線幅で配置され、背景部５に配列される画線７が潜像部４の画線６のピッチと同一ピッチ又は略同一ピッチで、かつ、潜像部４の画線幅と同一画線幅又は略同一画線幅であることが好ましい。
【００３６】
潜像部４を形成する画線６の配列方向及び背景部５を形成する画線７の配列方向は、４５〜１３５度の範囲で異なることが好ましい。４５〜１３５度の範囲以外であると、潜像部４と背景部５の明度差が低く、潜像模様が視認し難い問題が生じる。ただし、４５〜１３５度の範囲以外であっても、偽造防止印刷物１は画線６及び画線７の高さの差を有するため、従来の潜像の印刷物より、潜像部４と背景部５に明度差が生じて潜像模様を視認することができる。
【００３７】
また、潜像部４を形成する画線６、背景部５を形成する画線７は、直線、曲線、破線、一点鎖線、微小文字等、特に限定されることがないが、直線で形成することが最も好ましい。
【００３８】
以上、本発明の偽造防止印刷物の画線設計は上記範囲内で画線高さ、画線幅、画線ピッチ、配列方向及び画線種類を適宜組み合わせて設計すればよい。
【００３９】
（スイッチ画像）
本発明の偽造防止印刷物は、図１２に記載のように背景部５に配列される画線７が潜像部４の画線６の下地に画線６及び画線７と異なる色彩で画像１０を形成することができる。画像１０のインキについては、前述した色彩が異なっていれば特に限定されないが、パールインキ等の光学的変化インキが好ましい。パールインキで画像１０を形成することによって、観察角度によって潜像模様と画像１０がスイッチして視認することができる。詳細については特許第４２４７９０６号公報に記載されている。
【００４０】
（カムフラージュ画像）
本発明の偽造防止印刷物は、背景部５に配列される画線７が潜像部４の画線６の少なくとも一部の単位長さ当たりの面積率を異ならせて配置させることで真上から観察した場合に潜像模様が視認し難くさせるためにカムフラージュ図柄を形成することができる。また、背景部５に配列される画線７が潜像部４の画線６の画線の位相をずらすことによって真上から観察した場合に潜像模様が視認し難くさせるためにカムフラージュ図柄を形成することができる。詳細については特許第４２４７９０６号公報に記載されている。
【００４１】
（実施例１）
図１３に本発明の実施例１の偽造防止印刷物１ａを示す。実施例１の偽造防止印刷物１ａは、白色用紙２ａに黒インキを用いて凹版印刷機で潜像部４ａ及び背景部５ａを印刷した。ここで、潜像部４ａは画線６ａの幅を０．１５ｍｍ、非画線８ａの幅を０．１０ｍｍ、ピッチ０．２５ｍｍ、画線６ａの高さを０．０２ｍｍ、白色用紙２の横方向を０度とした場合に画線６ａの配列方向を０度として複数の画線６ａを形成した。また、ここで、背景部５ａは画線７ａの幅を０．１５ｍｍ、非画線８ａの幅を０．１０ｍｍ、ピッチ０．２５ｍｍ、画線７ａの高さを０．０４ｍｍ、白色用紙２の横方向を０度とした場合に画線７ａの配列方向を９０度として複数の画線７ａを形成した。
【００４２】
図１４（ａ）は偽造防止印刷物１ａの印刷面を真正面から見て観察した場合の状態である。偽造防止印刷物１ａの印刷面を真正面から見て観察した場合は、潜像部４ａの明度と背景部５ａの明度の差に大きな変化が得られず潜像模様が視認し難い状態であった。図１４（ｂ）は偽造防止印刷物１ａを図１３に示したＳ１方向の斜めから観察した場合の状態である。背景部５ａの明度は、低い状態でされるが、潜像部４ａは、背景部５ａよりも高い明度で視認され、潜像模様がネガ状態で視認することができた。図１４（ｃ）は偽造防止印刷物１ａを図１３に示したＳ３方向の斜めから観察した場合の状態である。潜像部４ａの明度は、低い状態でされるが、背景部５ａは、潜像部４ａよりも高い明度で視認され、潜像模様がポジ状態で視認することができた。
【００４３】
図１５（ａ）は偽造防止印刷物１ａを図１３に示したＳ５乃至Ｓ８方向のいずれかの斜めから観察した場合の状態である。図１５（ａ）はＳ５方向の斜めから観察した場合の状態であり、図１５（ｂ）はＳ６方向の斜めから観察した場合の状態であり、図１５（ｃ）はＳ７方向の斜めから観察した場合の状態であり、図１５（ｄ）はＳ８方向の斜めから観察した場合の状態である。背景部５ａの明度は、低い状態でされるが、潜像部４ａは、背景部５ａよりも高い明度で視認され、潜像模様がネガ状態で視認することができた。
【符号の説明】
【００４４】
１、１ａ、１´  偽造防止印刷物
２、２ａ、２´  基材
３、３´  潜像印刷領域
４、４ａ、４´  潜像部
５、５ａ、５´  背景部
６、６ａ、６´  潜像部の画線
７、７ａ、７´  背景部の画線
８、８ａ、８´  潜像部の非画線
９、９ａ、９´  背景部の非画線
１０  画像
１１  カムフラージュ模様
ｈ、ｈ１、ｈ２、ｈ３、ｈ４、ｈ５、ｈ６  盛り量
θ  観察角度
【図１】
2015074155.tif 000003
【図２】
2015074155.tif 000004
【図３】
2015074155.tif 000005
【図４】
2015074155.tif 000006
【図５】
2015074155.tif 000007
【図６】
2015074155.tif 000008
【図７】
2015074155.tif 000009
【図８】
2015074155.tif 000010
【図９】
2015074155.tif 000011
【図１０】
2015074155.tif 000012
【図１１】
2015074155.tif 000013
【図１２】
2015074155.tif 000014
【図１３】
2015074155.tif 000015
【図１４】
2015074155.tif 000016
【図１５】
2015074155.tif 000017
【図１６】
2015074155.tif 000018
【図１７】
2015074155.tif 000019
【図１８】
2015074155.tif 000020
【図１９】
2015074155.tif 000021